(57)【特許請求の範囲】
【請求項１】
逐次コンテンツを生成するコンテンツ生成装置を含むコンテンツ分類システムであって、
前記コンテンツ生成装置が、所定位置に存在する第１状態と、前記所定位置に存在しない第２状態とのいずれの状態であるかの検出を繰り返し行う検出手段と、
前記コンテンツ生成装置により生成された２つのコンテンツの各生成時の間に、
前記検出手段が検出した状態に変化が生じている場合には、当該２つのコンテンツを異なるグループに分類し、
前記検出手段が検出した状態に変化が生じていない場合には、当該２つのコンテンツを同一のグループに分類する分類処理を行う分類手段とを備える
ことを特徴とするコンテンツ分類システム。
【請求項２】
前記分類手段は、
前記コンテンツ生成装置により生成された生成順が連続する２つのコンテンツからなる各組について、前記分類処理を行う
ことを特徴とする請求項１記載のコンテンツ分類システム。
【請求項３】
前記コンテンツ生成装置は、
所定範囲で受信可能な第１の無線信号を送信する第１通信手段と、
生成したコンテンツと当該コンテンツの生成時間情報とからなるコンテンツ情報を記憶するコンテンツ記憶手段とを備え、
前記コンテンツ分類システムは、更に
前記検出手段及び前記分類手段と、
前記第１の無線信号を受信可能な第２通信手段と、
前記コンテンツ記憶手段に記憶されている各コンテンツ情報を取得する取得手段とを備え、前記所定位置に設置されたコンテンツ分類装置を含み、
前記検出手段は、
前記第２通信手段が前記第１の無線信号を受信した場合に、前記第１状態であると検出し、
前記第２通信手段が所定時間以内に前記第１の無線信号を受信しない場合に、前記第２状態であると検出し、
前記分類手段による前記分類処理は、
前記取得手段が取得した各コンテンツ情報を構成する各コンテンツを、当該コンテンツが属するグループ別に管理する処理である
ことを特徴とする請求項２記載のコンテンツ分類システム。
【請求項４】
前記第２通信手段は、更に
前記所定範囲で受信可能な第２の無線信号を繰り返し送信するものであり、
前記第１通信手段は、更に
前記第２の無線信号を受信することが可能であり、
当該第２の無線信号を受信した際に、前記第１の無線信号を送信し、
前記第２通信手段は、
前記第２の無線信号を送信した時を基準に、前記所定時間を計時する
ことを特徴とする請求項３記載のコンテンツ分類システム。
【請求項５】
前記第１通信手段は、前記第１の無線信号として、前記コンテンツ生成装置の識別情報を含む信号を繰り返し送信するＩＣタグであり、
前記第２通信手段は、ＩＣタグリーダである
ことを特徴とする請求項３記載のコンテンツ分類システム。
【請求項６】
前記コンテンツ生成装置は、
前記検出手段及び前記分類手段と、
特定の無線信号を受信するための受信手段とを備え、
前記検出手段は、
前記受信手段が受信した前記無線信号に基づいて、前記検出を行う
ことを特徴とする請求項２記載のコンテンツ分類システム。
【請求項７】
前記無線信号は、ＧＰＳ（Global Positioning System）衛星から送信された信号であり、
前記コンテンツ生成装置は、更に
前記所定位置の緯度及び経度を示す位置情報を記憶する位置記憶手段と、
前記受信手段が受信した前記無線信号に基づいて、自装置の位置を示す緯度及び経度を算出する位置取得手段とを備え、
前記検出手段は、
前記位置記憶手段が記憶する前記位置情報が示す緯度及び経度と、前記位置取得手段が算出した緯度及び経度との差が、
所定値以下である場合に、前記第１状態であると検出し、
当該所定値より大きい場合に、前記第２状態であると検出する
ことを特徴とする請求項６記載のコンテンツ分類システム。
【請求項８】
前記コンテンツ生成装置は、更に
生成したコンテンツと当該コンテンツの生成時間情報とからなるコンテンツ情報を記憶するコンテンツ記憶手段を備え、
コンテンツ分類システムは、
前記無線信号を繰り返し送信する送信手段と、
前記コンテンツ記憶手段に記憶されている各コンテンツ情報を取得する取得手段とを備え、前記所定位置に設置されたコンテンツ管理装置を含み、
前記無線信号は、所定範囲でのみ受信可能であり、
前記検出手段は、
前記受信手段が前記無線信号を受信した場合に、前記第１状態であると検出し、
前記受信手段が所定時間以内に前記無線信号を受信しない場合に、前記第２状態であると検出し、
前記分類手段による前記分類処理は、
前記取得手段が取得した各コンテンツ情報を構成する各コンテンツを、当該コンテンツが属するグループ別に管理する処理である
ことを特徴とする請求項６記載のコンテンツ分類システム。
【請求項９】
前記コンテンツ分類システムは、
前記検出手段及び前記分類手段を備え、前記所定位置に設置されたコンテンツ分類装置を含み、
前記コンテンツ生成装置及び前記コンテンツ分類装置はそれぞれ
他方の装置と有線接続するための接続手段を備え、
前記検出手段は、
自装置の前記接続手段による有線接続を検出した場合に、前記第１状態であると検出し、
自装置の前記接続手段による有線接続を所定時間以内に検出しない場合に、前記第２状態であると検出する
ことを特徴とする請求項２記載のコンテンツ分類システム。
【請求項１０】
前記コンテンツ生成装置は、
被写体を撮像し画像データを生成するデジタルカメラであり、
前記コンテンツ分類装置は、
前記デジタルカメラを所持するユーザの自宅に設置されたコンピュータである
ことを特徴とする請求項９記載のコンテンツ分類システム。
【請求項１１】
前記コンテンツ分類システムは、
前記検出手段及び前記分類手段を備え、前記所定位置に設置されたコンテンツ分類装置を含み、
前記コンテンツ生成装置は、複数存在し、
前記検出手段は前記検出を、前記分類手段は各組についての前記分類処理を、コンテンツ生成装置毎に行う
ことを特徴とする請求項２記載のコンテンツ分類システム。
【請求項１２】
コンテンツを記憶するためのコンテンツ記憶手段と、
逐次コンテンツを生成し前記コンテンツ記憶手段に格納する生成手段と、
自装置が、所定位置に存在する第１状態と、前記所定位置に存在しない第２状態とのいずれの状態であるかの検出を繰り返し行う検出手段と、
前記コンテンツ記憶手段に記憶されている２つのコンテンツの各生成時の間に、
前記検出手段が検出した状態に変化が生じている場合には、当該２つのコンテンツを異なるグループに分類し、
前記検出手段が検出した状態に変化が生じていない場合には、当該２つのコンテンツを同一のグループに分類する分類処理を行う分類手段とを備える
ことを特徴とするコンテンツ生成分類装置。
【請求項１３】
前記コンテンツ生成分類装置は、更に
前記所定位置の緯度及び経度を示す位置情報を記憶する位置記憶手段と、
ＧＰＳを用いて、自装置の位置を示す緯度及び経度を算出する位置算出手段とを備え、
前記検出手段は、
前記位置記憶手段が記憶する位置情報が示す緯度及び経度と、前記位置算出手段が算出した緯度及び経度との差が、
所定値以下である場合に、前記第１状態であると検出し、
当該所定値より大きい場合に、前記第２状態であると検出する
ことを特徴とする請求項１２記載のコンテンツ生成分類装置。
【請求項１４】
外部装置により逐次生成されたコンテンツを記憶するコンテンツ記憶手段と、
前記外部装置が、所定位置に存在する第１状態と、前記所定位置に存在しない第２状態とのいずれの状態であるかの検出を繰り返し行う検出手段と、
前記外部装置により生成された２つのコンテンツの各生成時の間に
前記検出手段が検出した状態に変化が生じている場合には、当該２つのコンテンツを異なるグループに分類し、
前記検出手段が検出した状態に変化が生じていない場合には、当該２つのコンテンツを同一のグループに分類する分類処理を行う分類手段とを備える
ことを特徴とするコンテンツ分類装置。
【請求項１５】
逐次コンテンツを生成するコンテンツ生成装置を含むコンテンツ分類システムにおいて用いられる分類方法であって、
前記コンテンツ生成装置が、所定位置に存在する第１状態と、前記所定位置に存在しない第２状態とのいずれの状態であるかの検出を繰り返し行う検出ステップと、
前記コンテンツ生成装置により生成された２つのコンテンツの各生成時の間に、
前記検出ステップで検出した状態に変化が生じている場合には、当該２つのコンテンツを異なるグループに分類し、
前記検出ステップで検出した状態に変化が生じていない場合には、当該２つのコンテンツを同一のグループに分類する分類ステップとを含む
ことを特徴とする分類方法。
【請求項１６】
逐次コンテンツを生成するコンテンツ生成装置を含むコンテンツ分類システムにおけるコンピュータに、分類処理を行わせるためのプログラムであって、
前記コンテンツ生成装置が、所定位置に存在する第１状態と、前記所定位置に存在しない第２状態とのいずれの状態であるかの検出を繰り返し行う検出ステップと、
前記コンテンツ生成装置により生成された２つのコンテンツの各生成時の間に、
前記検出ステップで検出した状態に変化が生じている場合には、当該２つのコンテンツを異なるグループに分類し、
前記検出ステップで検出した状態に変化が生じていない場合には、当該２つのコンテンツを同一のグループに分類する分類ステップとを含む
ことを特徴とするプログラム。
【発明の詳細な説明】
【技術分野】
【０００１】
本発明は、生成されたコンテンツを分類する技術に関する。
【背景技術】
【０００２】
従来から、画像データ等の複数のコンテンツを、コンテンツの生成日毎に分類する技術が知られている。しかしながら、この方法では、例えば、複数日に跨って行われた行事（例えば旅行）において生成された関連性が高いコンテンツが異なるグループに分類されてしまうという問題がある。
【０００３】
この問題に対し、例えば、特許文献１〜３の技術が知られている。
【０００４】
特許文献１の技術は、撮影日が連続する画像群を１つのグループに分類するものであり、特許文献２の技術は、撮影日時の間隔が大きく変化する位置を区切りとし、撮影日時が区切りの前である各画像と、区切りの後である各画像とを異なるグループに分類するものである。
【０００５】
また、特許文献３の技術は、画像データ毎に、撮影位置の緯度、経度を表すＧＰＳ（GlobalPositioning System）情報を記憶しておき、撮影位置が、ユーザの自宅等の基準位置と所定距離以上離れているグループと、自宅等の基準位置と所定距離以上離れていないグループに分類するものである。
【先行技術文献】
【特許文献】
【０００６】
【特許文献１】日本国特許公開２００２−１１２１６５号公報
【特許文献２】日本国特許公開２００８−２６９００９号公報
【特許文献３】日本国特許公開２００４−１２０４８６号公報
【発明の概要】
【発明が解決しようとする課題】
【０００７】
しかしながら、特許文献１〜３のいずれの方法においても、異なる行事で撮影された各画像が１つのグループに分類され得るという問題がある。
【０００８】
例えば、午前中にユーザが自宅の近所で行われた行事Ａに参加して撮影を行い、その日の午後にユーザが自宅で行われた、行事Ａとは別の行事Ｂで撮影を行った場合に、行事Ａ及び行事Ｂで撮影された各画像が１つのグループに分類され得る。
【０００９】
そこで、本発明は係る問題に鑑みてなされたものであり、生成された複数のコンテンツを行事毎に分類する可能性を高めたコンテンツ分類システムを提供することを目的とする。
【課題を解決するための手段】
【００１０】
上記課題を解決するために、本発明に係るコンテンツ分類システムは、逐次コンテンツを生成するコンテンツ生成装置を含むコンテンツ分類システムであって、前記コンテンツ生成装置が、所定位置に存在する第１状態と、前記所定位置に存在しない第２状態とのいずれの状態であるかの検出を繰り返し行う検出手段と、前記コンテンツ生成装置により生成された２つのコンテンツの各生成時の間に、前記検出手段が検出した状態に変化が生じている場合には、当該２つのコンテンツを異なるグループに分類し、前記検出手段が検出した状態に変化が生じていない場合には、当該２つのコンテンツを同一のグループに分類する分類処理を行う分類手段とを備えることを特徴とする。
【発明の効果】
【００１１】
上記構成を備える本発明に係るコンテンツ分類システムによれば、生成された複数のコンテンツを行事毎に分類する可能性を高めることができる。
【図面の簡単な説明】
【００１２】
【図１】実施の形態１に係るデジタルカメラ１００の主要部の機能構成を示すブロック図である。
【図２】デジタルカメラ１００が使用する画像情報テーブル１０のデータ構成及び内容例を示す図である。
【図３】時間情報更新部１１９による持出日時情報及び持込日時情報の更新処理を示すフローチャートである。
【図４】分類処理部１２０による分類処理を示すフローチャートである。
【図５】複数の画像データの生成タイミング、及びデジタルカメラ１００の状態変化のタイミングの一例を示す図である。
【図６】持出日時情報及び持込日時情報が更新されていく様子を説明するための図である。
【図７】画像情報テーブル１０が更新されていく様子を説明するための図である。
【図８】画像情報テーブル１０が更新されていく様子を説明するための図である。
【図９】分類結果の表示例を示す図である。
【図１０】実施の形態２に係るコンテンツ分類システム１０００のシステム構成を示すブロック図である。
【図１１】持出日時テーブル２０及び持込日時テーブル３０のデータ構成及び内容例を示す図である。
【図１２】分類処理部３０８による分類処理を示すフローチャートである。
【図１３】変形例１に係るコンテンツ分類システム１１００のシステム構成を示すブロック図である。
【図１４】変形例２に係るコンテンツ分類システム１２００のシステム構成を示すブロック図である。
【発明を実施するための形態】
【００１３】
以下、本発明の実施の形態について、図面を参照しながら説明する。
【００１４】
≪実施の形態１≫
実施の形態１では、本発明に係るコンテンツ生成分類装置の一実施形態としてのコンテンツ生成分類装置１１０を含むデジタルカメラ１００について説明する。
【００１５】
＜構成＞
まず、本実施の形態に係るコンテンツ生成分類装置１１０を含むデジタルカメラ１００の構成について、図１を用いて説明する。
【００１６】
図１は、実施の形態１に係るデジタルカメラ１００の主要部の機能構成を示すブロック図である。
【００１７】
デジタルカメラ１００は、同図に示すように、レリーズボタン１０１、表示部１０２、計時部１０３、及びコンテンツ生成分類装置１１０を備える。
【００１８】
ここで、レリーズボタン１０１は、ユーザが撮影指示を行うために用いられるボタンであり、ユーザによる押下操作に応じて、所定の入力信号をコンテンツ生成分類装置１１０に送出する機能を有する。
【００１９】
表示部１０２は、液晶ディスプレイ（ＬＣＤ：Liquid Crystal Display）を含み、コンテンツ生成分類装置１１０の指示に応じて、撮影した画像等を表示する機能を有する。
【００２０】
計時部１０３は、いわゆる時計であり、現在日時を計時する機能を有する。
【００２１】
コンテンツ生成分類装置１１０は、レリーズボタン１０１からの入力信号に基づいて撮像し生成した画像データをイベント期間毎に分類する機能を有し、記憶部１１１、位置記憶部１１２、生成部１１３、位置算出部１１６、検出部１１７、及び分類部１１８を含んで構成される。
【００２２】
ここで、イベント期間とは、デジタルカメラ１００の存在位置が所定位置にある状態と所定位置にない状態とのうち、同一の状態が続いている期間のことをいい、本実施の形態では、所定位置はデジタルカメラ１００のユーザの自宅であるものとする。
【００２３】
デジタルカメラ１００のユーザが、順に行われる２つの行事（旅行や、運動会、パーティー等）に参加する場合において、一般的には、１つの行事への参加後、もう１つの行事への参加前に、このデジタルカメラ１００を持ったユーザが帰宅したり、外出したりといった事象が発生する可能性が高いと考えられる。
【００２４】
コンテンツ生成分類装置１１０は、生成した画像データをイベント期間毎に分類することで、結果として、生成した画像データを行事毎に分類する可能性を高めたものである。
【００２５】
なお、コンテンツ生成分類装置１１０は、プロセッサ及びメモリを含んで構成されており、メモリに記憶されているプログラムをプロセッサが実行することにより、生成部１１３、位置算出部１１６、検出部１１７、分類部１１８の各機能が実現される。
【００２６】
記憶部１１１は、メモリやハードディスク等の記録媒体により実現され、生成された画像データや、後述する画像情報テーブル１０（図２参照）等を記憶する機能を有する。
【００２７】
位置記憶部１１２は、メモリやハードディスク等の記録媒体により実現され、所定位置（この例では、デジタルカメラ１００のユーザの自宅）の緯度及び経度を示す情報（以下、「位置情報」という）を記憶する機能を有する。
【００２８】
生成部１１３は、レリーズボタン１０１からの入力信号に基づいて撮像し生成した画像データと、その画像データの生成日時を示す情報（以下、「生成日時情報」という）とを記憶部１１１に格納する機能を有し、撮像部１１４及び撮像制御部１１５を含んで構成される。
【００２９】
ここで、撮像部１１４は、レンズ、ＣＣＤ（Charge Couple Device）、及びＡ／Ｄ変換器（Analog to Digital conversion）を含み、撮像制御部１１５からの指示に従って撮像し生成した画像データ（例えば、６４０×４８０画素分の輝度データ群）を撮像制御部１１５へ送出する。画像データの生成は、被写体から入射する光をレンズによりＣＣＤに集光し、この光をＣＣＤで電気信号に変換し、この電気信号をＡ／Ｄ変換器によりデジタル信号に変換することによって行う。
【００３０】
撮像制御部１１５は、レリーズボタン１０１から入力信号を受領した際に、撮像部１１４に撮像を指示し、撮像部１１４から受領した画像データと計時部１０３から取得した日時を示す生成日時情報とを記憶部１１１に格納する機能を有する。
【００３１】
撮像制御部１１５は、画像データを、その画像データの識別情報（以下、「データ番号」という）と対応付けて記憶部１１１に格納し、記憶部１１１に記憶されている画像情報テーブル１０に、生成日時情報をデータ番号と対応付けて登録する。この結果、画像データと生成日時情報とがデータ番号を介して対応付けられることになる。
【００３２】
なお、以下では、データ番号は、デジタルカメラ１００の運用開始時における初期値を「１」として、画像データの生成順に連番になるように、割り振られるものとする。
【００３３】
位置算出部１１６は、ＧＰＳアンテナを含んで構成され、このＧＰＳアンテナを介して受信したＧＰＳ衛星からの信号に基づいて、自装置が存在する場所の緯度及び経度を繰り返し算出する機能を有する。
【００３４】
検出部１１７は、位置記憶部１１２に記憶されている位置情報と、位置算出部１１６による算出結果とに基づいて、自装置が、自宅に存在する第１状態と、自宅に存在しない第２状態とのいずれの状態であるかの検出を繰り返し行う機能を有する。
【００３５】
検出部１１７は、位置情報が示す自装置のユーザの自宅の緯度及び経度と、位置算出部１１６が算出した自装置が存在する場所の緯度及び経度との差が所定値（例えば、１秒）以下である場合に、第１状態であると検出し、差が所定値より大きい場合には、第２状態であると検出し、検出結果を分類部１１８に送出する。
【００３６】
分類部１１８は、記憶部１１１に記憶された各画像データを、検出部１１７から受領した検出結果に基づいて、イベント期間毎に分類する機能を有し、時間情報更新部１１９及び分類処理部１２０を含んで構成される。また、分類部１１８は、図示しない操作部から所定のユーザ操作を受け付けた場合に、分類結果に基づいて、画像データのサムネイルを表示部１０２に表示させる機能も有する。
【００３７】
ここで、時間情報更新部１１９は、検出部１１７から検出結果を受領した際に、この今回受領した検出結果が示す状態の、前回受領した検出結果が示す状態からの変化に応じて、持出日時情報又は持込日時情報を更新する機能を有する。なお、この持出日時情報及び持込日時情報は、記憶部１１１に記憶されているものとする。
【００３８】
この持出日時情報は、自装置が、自宅に存在しなくなったことを検出した日時を示す情報であり、持込日時情報は、自装置が、自宅に存在するようになったことを検出した日時を示す情報である。持出日時情報又は持込日時情報の更新方法については、後述する（図３参照）。
【００３９】
また、分類処理部１２０は、記憶部１１１に記憶されている持出日時情報及び持込日時情報と、画像情報テーブル１０に登録されている前回格納された画像データの生成日時情報とに基づいて、記憶部１１１に新たに格納された画像データの分類を行う機能を有する。この分類方法については、後述する（図４参照）。
【００４０】
＜データ＞
次に、デジタルカメラ１００が使用するデータについて、図２を用いて説明する。
【００４１】
図２は、デジタルカメラ１００が使用する画像情報テーブル１０のデータ構成及び内容例を示す図である。
【００４２】
同図に示すように、画像情報テーブル１０は、画像データ毎に、データ番号１１、生成日時情報１２及びグループ番号１３を対応付けて構成される情報である。
【００４３】
ここで、データ番号１１は、対応する画像データの識別情報であり、ここでは、デジタルカメラ１００の運用開始時における初期値を「１」として、画像データの生成順に連番になる値を用いた例を示している。
【００４４】
生成日時情報１２は、対応する画像データの生成日時を示すデータであり、グループ番号１３は、対応する画像データが分類されたグループの識別情報であり、ここでは、デジタルカメラ１００の運用開始時における初期値を「１」として、連番になる値を用いた例を示している。
【００４５】
同図では、例えば、データ番号が「１」である画像データの生成日時は「２０１０年１月１日１９時３０分」であり、その画像データは、グループ番号が「１」であるグループに分類されたことを示している。
【００４６】
また、同図では、例えば、データ番号が「２」〜「４」である各画像データは、グループ番号が「２」である同一のグループに分類されたことを示しており、つまり、これらの画像データは、同じイベント期間内に撮影され生成されたものであることを示している。
【００４７】
また、同図では、データ番号が「１」である画像データと、データ番号が「２」〜「４」である各画像データとは異なるグループに分類されたこと、つまり異なるイベント期間内に撮影され生成されたことを示している。
【００４８】
画像情報テーブル１０は、生成部１１３が画像データを生成した際に更新され、分類部１１８が画像データを分類する際に参照及び更新される。
【００４９】
＜動作＞
次に、デジタルカメラ１００の動作について、図３、図４を用いて説明する。
【００５０】
＜更新処理＞
図３は、時間情報更新部１１９による持出日時情報及び持込日時情報の更新処理を示すフローチャートである。
【００５１】
時間情報更新部１１９は、検出部１１７から検出結果を受領すると（ステップＳ１）、計時部１０３から現在日時を取得し、今回受領した検出結果が第１状態を示すか否かを判定する（ステップＳ２）。
【００５２】
今回受領した検出結果が第２状態を示す場合には（ステップＳ２：ＮＯ）、時間情報更新部１１９は、前回、検出部１１７から受領した検出結果が第１状態を示すか否かを判定し（ステップＳ３）、第２状態を示す場合には（ステップＳ３：ＮＯ）、持出日時情報も持込日時情報も更新することなく、更新処理を終了する。
【００５３】
これは、検出結果が示す状態が第２状態のまま変化していないので、デジタルカメラ１００のユーザが、このデジタルカメラ１００を持って外出したままであると判定できるためである。
【００５４】
ステップＳ３で、前回受領した検出結果が第１状態を示す場合には（ステップＳ３：ＹＥＳ）、時間情報更新部１１９は、計時部１０３から取得した日時を示すように、記憶部１１１に格納されている持出日時情報を更新し（ステップＳ４）、更新処理を終了する。
【００５５】
ステップＳ４で持出日時情報を更新するのは、検出結果が示す状態が第１状態から第２状態に変化しているので、デジタルカメラ１００のユーザが、このデジタルカメラ１００を持って外出したと判定できるためである。
【００５６】
一方、ステップＳ２で、今回受領した検出結果が第１状態を示す場合には（ステップＳ２：ＹＥＳ）、時間情報更新部１１９は、前回、検出部１１７から受領した検出結果が第１状態を示すか否かを判定し（ステップＳ５）、第１状態を示す場合には（ステップＳ５：ＹＥＳ）、持出日時情報も持込日時情報も更新することなく、更新処理を終了する。
【００５７】
これは、検出結果が示す状態が第１状態のまま変化していないので、デジタルカメラ１００は、引き続きデジタルカメラ１００のユーザの自宅にあると判定できるためである。
【００５８】
前回受領した検出結果が第２状態を示す場合には（ステップＳ５：ＮＯ）、時間情報更新部１１９は、計時部１０３から取得した日時を示すように、記憶部１１１に格納されている持込日時情報を更新し（ステップＳ６）、更新処理を終了する。
【００５９】
ステップＳ６で持込日時情報を更新するのは、検出結果が示す状態が第２状態から第１状態に変化しているので、デジタルカメラ１００のユーザが、このデジタルカメラ１００を持って帰宅したと判定できるためである。
【００６０】
＜分類処理＞
図４は、分類処理部１２０による分類処理を示すフローチャートである。
【００６１】
撮像部１１４で生成された画像データと、生成日時情報とが撮像制御部１１５により対応付けて記憶部１１１に記憶される（ステップＳ１１）。即ち、撮像部１１４で生成された画像データがこの画像データのデータ番号と対応付けて記憶部１１１に記憶されると共に、このデータ番号と生成日時情報とが画像情報テーブル１０に登録される。
【００６２】
ステップＳ１１の処理が行われると、分類処理部１２０は、前回生成された画像データの生成日時情報、つまり、最新のデータ番号から１を減じたデータ番号と対応する生成日時情報を画像情報テーブル１０から読み出し（ステップＳ１２）、持出日時情報を記憶部１１１から読み出す（ステップＳ１３）。
【００６３】
分類処理部１２０は、ステップＳ１２で読み出した生成日時情報が示す生成日時、つまり、前回生成された画像データの生成日時が、ステップＳ１３で読み出した持出日時情報が示す持出日時より後の日時であるか否かを判定し（ステップＳ１４）、前回生成された画像データの生成日時が、持出日時より後の日時である場合には（ステップＳ１４：ＹＥＳ）、持込日時情報を記憶部１１１から読み出す（ステップＳ１５）。
【００６４】
分類処理部１２０は、ステップＳ１２で読み出した生成日時情報が示す生成日時、つまり、前回生成された画像データの生成日時が、ステップＳ１５で読み出した持込日時情報が示す持込日時より後の日時であるか否かを判定し（ステップＳ１６）、前回生成された画像データの生成日時が、持込日時より後の日時である場合には（ステップＳ１６：ＹＥＳ）、ステップＳ１１で記憶部１１１に記憶された今回生成された画像データを、前回生成された画像データと同じグループに分類し（ステップＳ１７）、分類処理を終了する。
【００６５】
ステップＳ１７の処理は、詳細には、最新のデータ番号と対応する画像情報テーブル１０のグループ番号に、前回生成された画像データと同じグループ番号を登録する。
【００６６】
ステップＳ１４で、前回生成された画像データの生成日時が、持出日時より前の日時である場合（ステップＳ１４：ＮＯ）、及びステップＳ１６で、前回生成された画像データの生成日時が、持込日時より前の日時である場合には（ステップＳ１６：ＮＯ）、ステップＳ１１で記憶部１１１に記憶された今回生成された画像データを、前回生成された画像データとは異なる新たなグループに分類し（ステップＳ１８）、分類処理を終了する。
【００６７】
ステップＳ１８の処理は、詳細には、最新のデータ番号と対応する画像情報テーブル１０のグループ番号に、前回生成された画像データのグループ番号を１つ増加させた値を登録する。
【００６８】
＜具体例による動作の説明＞
上述したデジタルカメラ１００の動作について、図５〜図８に示す具体例を用いて説明する。
【００６９】
図５は、複数の画像データの生成タイミング、及びデジタルカメラ１００の状態変化のタイミングの一例を示す図である。
【００７０】
また、図６は、持出日時情報及び持込日時情報が更新されていく様子を説明するための図である。
【００７１】
また、図７及び図８は、画像情報テーブル１０が更新されていく様子を説明するための図である。
【００７２】
図５に示す時刻Ｔ１は、ユーザがデジタルカメラ１００を持って外出したタイミングを、時刻Ｔ２は、時刻Ｔ１で外出したユーザがデジタルカメラ１００を持って帰宅したタイミングを、時刻Ｔ３は、時刻Ｔ２で帰宅したユーザが再びデジタルカメラ１００を持って外出したタイミングを示している。
【００７３】
また、画像データＰ１〜Ｐ１１は、デジタルカメラ１００で撮影され生成された画像データを示している。また特に、画像データＰ１は、デジタルカメラ１００のユーザが参加していた２０１０年２月２１日の行事Ｅ１で、画像データＰ２〜Ｐ９は、２０１０年２月２２日〜２４日の行事Ｅ２で、画像データＰ１０は、２０１０年２月２５日の行事Ｅ３で、画像データＰ１１は、２０１０年２月２５日の行事Ｅ３とは異なる行事Ｅ４で、撮影され生成された画像データであることを示している。
【００７４】
また、同図の画像データＰ１〜Ｐ１１を示す各矩形内に記載したｎ−１〜ｎ＋９は、データ番号を示しているものとする（ｎはある整数である）。
【００７５】
以下、図５に示す具体例を用いて、図３及び図４に示す各フローチャートに即して、デジタルカメラ１００の動作を説明するが、以下の説明開始時点において、画像データＰ１の前に生成された画像データ（データ番号は「ｎ−２」とする）の生成日時情報として、「２０１０年２月２１日１８時１０分」を示す情報が、画像情報テーブル１０に登録されており、図６（ａ）に示す持出日時情報及び持込日時情報が記憶部１１１に記憶されているものとする。
【００７６】
＜画像データＰ１の分類処理＞
撮像部１１４で生成された画像データ（Ｐ１）と、生成日時情報（この例では、「２０１０年２月２１日１９時３０分」を示すものとする）とが撮像制御部１１５により対応付けて記憶部１１１に記憶される（図４のステップＳ１１）。
【００７７】
ステップＳ１１の処理が完了すると、分類処理部１２０は、前回生成された画像データの生成日時情報（この例では、「２０１０年２月２１日１８時１０分」を示す）を画像情報テーブル１０から読み出し（ステップＳ１２）、持出日時情報（この例では、図６（ａ）に示すように、「２０１０年２月１９日１０時３６分」を示す）を記憶部１１１から読み出す（ステップＳ１３）。
【００７８】
分類処理部１２０は、ステップＳ１２で読み出した生成日時情報が示す生成日時（２０１０年２月２１日１８時１０分）が、ステップＳ１３で読み出した持出日時情報が示す持出日時（２０１０年２月１９日１０時３６分）より後の日時であるので（ステップＳ１４：ＹＥＳ）、持込日時情報（この例では、図６（ａ）に示すように、「２０１０年２月１９日２１時２０分」を示す）を記憶部１１１から読み出す（ステップＳ１５）。
【００７９】
分類処理部１２０は、ステップＳ１２で読み出した生成日時情報が示す生成日時（２０１０年２月２１日１８時１０分）が、ステップＳ１５で読み出した持込日時情報が示す持込日時（２０１０年２月１９日２１時２０分）より後の日時であるので（ステップＳ１６：ＹＥＳ）、画像データ（Ｐ１）を、前回生成された画像データと同じグループに分類し（ステップＳ１７）、分類処理を終了する。
【００８０】
この結果、図７（ａ）に示すように、画像情報テーブル１０には、データ番号が「ｎ−１」である画像データＰ１のグループ番号には、画像データＰ１の前に生成されたデータ番号が「ｎ−２」である画像データのグループ番号と同じ「ｍ−１」が登録される。
【００８１】
＜時刻Ｔ１での更新処理＞
この例では、時刻Ｔ１で、ユーザがデジタルカメラ１００を持って外出するので、検出部１１７は、位置記憶部１１２に記憶されている位置情報と、位置算出部１１６による算出結果とに基づいて、自装置が自宅に存在しない第２状態であることを検出する。
【００８２】
なお、時刻Ｔ１より前の時刻では、検出部１１７は、自装置が自宅に存在する第１状態であることを検出している。
【００８３】
時間情報更新部１１９は、検出部１１７から検出結果を受領すると（図３のステップＳ１）、計時部１０３から現在日時（この例では、「２０１０年２月２２日６時３２分」を示すものとする）を取得する。
【００８４】
今回受領した検出結果が第２状態を示し（ステップＳ２：ＮＯ）、前回、検出部１１７から受領した検出結果が、自装置が自宅に存在する第１状態を示すので（ステップＳ３：ＹＥＳ）、時間情報更新部１１９は、計時部１０３から取得した日時（２０１０年２月２２日６時３２分）を示すように、記憶部１１１に格納されている持出日時情報を更新し（ステップＳ４）、更新処理を終了する。
【００８５】
この結果、持出日時情報が、図６（ａ）に示すように「２０１０年２月１９日１０時３６分」から、図６（ｂ）に示すように、「２０１０年２月２２日６時３２分」に更新される。
【００８６】
＜画像データＰ２の分類処理＞
撮像部１１４で生成された画像データ（Ｐ２）と、生成日時情報（この例では、「２０１０年２月２２日７時１０分」を示すものとする）とが撮像制御部１１５により対応付けて記憶部１１１に記憶される（図４のステップＳ１１）。
【００８７】
ステップＳ１１の処理が完了すると、分類処理部１２０は、前回生成された画像データの生成日時情報（この例では「２０１０年２月２１日１９時３０分」を示す）を画像情報テーブル１０から読み出し（ステップＳ１２）、持出日時情報（この例では、図６（ｂ）に示すように、「２０１０年２月２２日６時３２分」を示す）を記憶部１１１から読み出す（ステップＳ１３）。
【００８８】
分類処理部１２０は、ステップＳ１２で読み出した生成日時情報が示す生成日時（２０１０年２月２１日１９時３０分）が、ステップＳ１３で読み出した持出日時情報が示す持出日時（２０１０年２月２２日６時３２分）より前の日時であるので（ステップＳ１４：ＮＯ）、画像データ（Ｐ２）を新たなグループに分類し（ステップＳ１８）、分類処理を終了する。
【００８９】
この結果、図７（ｂ）に示すように、画像情報テーブル１０には、データ番号が「ｎ」である画像データＰ２のグループ番号には、画像データＰ２の前に生成された画像データＰ１のグループ番号「ｍ−１」を１つ増加させた「ｍ」が登録される。
【００９０】
このことは、画像データＰ１の生成から画像データＰ２の生成までの期間において、デジタルカメラ１００の持出が発生したことから、画像データＰ１と画像データＰ２とは、異なるイベント期間内に撮影された画像データとして分類されたことを示している。
【００９１】
＜画像データＰ３〜Ｐ９の分類処理＞
画像データＰ３〜Ｐ９については、上記＜画像データＰ１の分類処理＞と同様に処理されて、画像データＰ３〜Ｐ９は、画像データＰ２と同じグループに分類される。
【００９２】
この結果、図７（ｃ）に示すように、画像情報テーブル１０には、データ番号が「ｎ＋１」〜「ｎ＋７」である画像データＰ３〜Ｐ９のグループ番号には、画像データＰ２と同一のグループ番号「ｍ」が登録される。
【００９３】
このことは、画像データＰ２の生成から画像データＰ９の生成までの期間においては、デジタルカメラ１００の持込等が発生していないので、画像データＰ２〜Ｐ９は、数日間に跨る１つのイベント期間内に撮影された画像データとして分類されたことを示している。
【００９４】
＜時刻Ｔ２での更新処理＞
この例では、時刻Ｔ２で、ユーザがデジタルカメラ１００を持って帰宅するので、検出部１１７は、位置記憶部１１２に記憶されている位置情報と、位置算出部１１６による算出結果とに基づいて、自装置が自宅に存在する第１状態であることを検出する。
【００９５】
時間情報更新部１１９は、検出部１１７から検出結果を受領すると（図３のステップＳ１）、計時部１０３から現在日時（この例では、「２０１０年２月２４日１６時２０分」を示すものとする）を取得する。
【００９６】
今回受領した検出結果が第１状態を示し（ステップＳ２：ＹＥＳ）、前回、検出部１１７から受領した検出結果が第２状態を示すので（ステップＳ５：ＮＯ）、時間情報更新部１１９は、計時部１０３から取得した日時（２０１０年２月２４日１６時２０分）を示すように、記憶部１１１に格納されている持込日時情報を更新し（ステップＳ６）、更新処理を終了する。
【００９７】
この結果、持込日時情報が、図６（ｂ）に示すように「２０１０年２月１９日２１時２０分」から、図６（ｃ）に示すように、「２０１０年２月２４日１６時２０分」に更新される。
【００９８】
＜画像データＰ１０の分類処理＞
撮像部１１４で生成された画像データ（Ｐ１０）と、生成日時情報（この例では、「２０１０年２月２５日５時１０分」を示すものとする）とが撮像制御部１１５により対応付けて記憶部１１１に記憶される（図４のステップＳ１１）。
【００９９】
ステップＳ１１の処理が完了すると、分類処理部１２０は、前回生成された画像データの生成日時情報（この例では「２０１０年２月２４日１５時１０分」を示す）を画像情報テーブル１０から読み出し（ステップＳ１２）、持出日時情報（この例では、図６（ｃ）に示すように、「２０１０年２月２２日６時３２分」を示す）を記憶部１１１から読み出す（ステップＳ１３）。
【０１００】
分類処理部１２０は、ステップＳ１２で読み出した生成日時情報が示す生成日時（２０１０年２月２４日１５時１０分）が、ステップＳ１３で読み出した持出日時情報が示す持出日時（２０１０年２月２２日６時３２分）より後の日時であるので（ステップＳ１４：ＹＥＳ）、持込日時情報（この例では、図６（ｃ）に示すように、「２０１０年２月２４日１６時２０分」を示す）を記憶部１１１から読み出す（ステップＳ１５）。
【０１０１】
分類処理部１２０は、ステップＳ１２で読み出した生成日時情報が示す生成日時（２０１０年２月２４日１５時１０分）が、ステップＳ１５で読み出した持込日時情報が示す持込日時（２０１０年２月２４日１６時２０分）より前の日時であるので（ステップＳ１６：ＮＯ）、画像データ（Ｐ１０）を、を新たなグループに分類し（ステップＳ１８）、分類処理を終了する。
【０１０２】
この結果、図８（ａ）に示すように、画像情報テーブル１０には、データ番号が「ｎ＋８」である画像データＰ１０のグループ番号には、画像データＰ１０の前に生成された画像データＰ９のグループ番号「ｍ」を１つ増加させた「ｍ＋１」が登録される。
【０１０３】
このことは、画像データＰ９の生成から画像データＰ１０の生成までの期間において、デジタルカメラ１００の持込が発生したことから、画像データＰ９と画像データＰ１０とは、異なるイベント期間内に撮影された画像データとして分類されたことを示している。
【０１０４】
＜時刻Ｔ３での更新処理＞
この例では、時刻Ｔ３（この例では、「２０１０年２月２５日６時２０分」とする）で、ユーザがデジタルカメラ１００を持って再び外出するので、上記＜時刻Ｔ１での更新処理＞と同様に処理される。
【０１０５】
この結果、持出日時情報が、図６（ｃ）に示すように「２０１０年２月２２日６時３２分」から、図６（ｄ）に示すように、「２０１０年２月２５日６時２０分」に更新される。
【０１０６】
＜画像データＰ１１の分類処理＞
画像データＰ１１については、上記＜画像データＰ２の分類処理＞と同様に処理されて、画像データＰ１１は、画像データＰ１０とは異なるグループに分類される。
【０１０７】
この結果、図８（ｂ）に示すように、画像情報テーブル１０には、データ番号が「ｎ＋９」である画像データＰ１１のグループ番号には、画像データＰ１１の前に生成された画像データＰ１０のグループ番号「ｍ＋１」を１つ増加させた「ｍ＋２」が登録される。
【０１０８】
このことは、画像データＰ１０の生成から画像データＰ１１の生成までの期間において、デジタルカメラ１００のユーザの自宅からの持出が再び発生したことから、画像データＰ１０と画像データＰ１１とは、異なるイベント期間内に撮影された画像データとして分類されたことを示している。
【０１０９】
このように、本実施の形態に係るコンテンツ生成分類装置１１０によれば、イベント期間毎に各画像データ（Ｐ１〜Ｐ１１）を分類することで、行事毎に各画像データを分類する可能性を高めることができる。即ち、行事Ｅ２のように複数日に跨って発生した行事において生成された各画像データ（Ｐ２〜Ｐ９）を１つのグループに分類できる。また、行事Ｅ３と行事Ｅ４との場合のように、複数の行事が同日に発生した場合でも、各行事において生成された各画像データ（Ｐ１０、Ｐ１１）を、行事毎に分類できる。
【０１１０】
＜表示例＞
図９は、分類結果の表示例を示す図である。
【０１１１】
図９（ａ）は、上述の図５の例における画像データＰ１１が分類された直後に、図示しない操作部から所定のユーザ操作を受け付けた分類部１１８が表示部１０２に表示させたグループ選択画面ＳＣ１を示している。
【０１１２】
ここで、グループ選択画面ＳＣ１は、図５に示す各画像データが属する各グループそれぞれを示すアイコンｉ１〜ｉ４を含んで構成されている。
【０１１３】
画像データＰ１１が分類された直後においては、図８（ｂ）に示すように、グループ番号が「ｍ−１」〜「ｍ＋２」である４つのグループが存在する。このグループ選択画面ＳＣ１では、アイコンｉ１が、グループ番号が「ｍ−１」であるグループを示し、アイコンｉ２が、グループ番号が「ｍ」であるグループを示し、アイコンｉ３が、グループ番号が「ｍ＋１」であるグループを示し、アイコンｉ４が、グループ番号が「ｍ＋２」であるグループを示している場合を例示している。なお、このグループ選択画面ＳＣ１の例では、各アイコンに、そのアイコンが示すグループに属する画像データの生成日と生成場所（自宅又は外出先）とを表示している。これにより、ユーザは、各アイコンｉ１〜ｉ４がどのイベント期間に対応するグループを示しているのかを容易に識別できる。
【０１１４】
また、図９（ｂ）は、図示しない操作部から、図９（ａ）のアイコンｉ２を選択するユーザ操作を受け付けた分類部１１８が表示部１０２に表示させたサムネイル画面ＳＣ２を示している。
【０１１５】
上述の例では、グループ番号が「ｍ」であるグループに属する各画像データＰ２〜Ｐ９の数は８個なので、このサムネイル画面ＳＣ２では、各画像データに対応する８個のサムネイル（対応する画像データを縮小したもの）が、対応する画像データの撮影順に左上から並べて表示されている。
【０１１６】
なお、このサムネイル画面ＳＣ２では、１画面に９個のサムネイルを表示させる場合を例にしている。従って、１つのグループに１０個以上の画像データが属する場合には、まず、撮影順が１〜９番目である画像データのサムネイルからなるサムネイル画面を表示させ、ユーザ操作に応じて、撮影順が１０番目以降の画像データのサムネイルからなるサムネイル画面を表示させるようにしてもよい。
【０１１７】
このように、各イベント期間に対応するグループ毎に、そのグループに属する画像データのサムネイルを表示できるので、ユーザは、所望の画像データを容易に表示させることが可能になる。
【０１１８】
≪実施の形態２≫
実施の形態１では、１台のデジタルカメラ１００が画像データの生成から分類までを一括して行う例を説明した。実施の形態２では、画像データを生成するデジタルカメラとは別の装置（コンテンツ分類装置）が、デジタルカメラで生成された画像データを分類するようにした、本発明に係るコンテンツ分類システムの一実施形態としてのコンテンツ分類システム１０００について説明する。
【０１１９】
＜構成＞
本実施の形態に係るコンテンツ分類システム１０００の構成について、図１０を用いて説明する。
【０１２０】
図１０は、実施の形態２に係るコンテンツ分類システム１０００のシステム構成を示すブロック図である。
【０１２１】
同図に示すように、コンテンツ分類システム１０００は、デジタルカメラ２００と、コンテンツ分類装置３００とから構成されている。
【０１２２】
＜デジタルカメラ＞
まず、デジタルカメラ２００の構成について説明する。
【０１２３】
デジタルカメラ２００は、同図に示すように、実施の形態１に係るデジタルカメラ１００のコンテンツ生成分類装置１１０に代えて、コンテンツ生成装置２１０を備えるものである。
【０１２４】
ここで、コンテンツ生成装置２１０は、生成部１１３、コンテンツ記憶部２１１、無線通信部２１２、及び送信処理部２１３を備え、この生成部１１３は、実施の形態１に係るコンテンツ生成分類装置１１０が備えるものと同じものである。
【０１２５】
また、コンテンツ記憶部２１１は、実施の形態１に係る記憶部１１１と同様、メモリやハードディスク等の記録媒体により実現され、生成された画像データを記憶する機能を有するが、実施の形態１に係る画像情報テーブル１０を若干変形した画像情報テーブル（以下、「変形画像情報テーブル」という）を記憶すると共に、持出日時情報及び持込日時情報は記憶しない点で、記憶部１１１とは異なる。
【０１２６】
ここで、変形画像情報テーブルは、図２に示す実施の形態１に係る画像情報テーブル１０の各データ項目のうち、グループ番号が存在しないテーブルである。即ち、特に図示して説明しないが、変形画像情報テーブルは、画像データ毎に、データ番号１１と生成日時情報１２とを対応付けて構成される情報であり、以下では、データ番号１１と生成日時情報１２とからなる情報を「レコード」ともいう。
【０１２７】
また、無線通信部２１２は、電波の送受信を行う回路であり、例えば、ＩＥＥＥ  ８０２．１１規格に準拠した無線ＬＡＮアダプタにより実現される。
【０１２８】
無線通信部２１２は、コンテンツ分類装置３００から繰り返し送信されているいわゆるビーコン信号を受信する毎に、受信したビーコン信号に対する応答信号を送信する機能を有する。
【０１２９】
また、無線通信部２１２は、非接続状態においてビーコン信号を受信すると、送信処理部２１３へ通知し、送信処理部２１３からの指示に従って、コンテンツ分類装置３００に予め設定されているＳＳＩＤ（Service Set Identifier）を含めた接続要求信号をコンテンツ分類装置３００に送信する機能を有する。また、無線通信部２１２は、この接続要求信号を受信したコンテンツ分類装置３００から接続許可信号を受信してコンテンツ分類装置３００との接続を確立し、送信処理部２１３の指示に基づいて、各画像データ等をコンテンツ分類装置３００に送信する機能を有する。
【０１３０】
なお、接続要求信号に含めるＳＳＩＤは、従来から行われているように、コンテンツ分類装置３００が繰り返し送信するビーコン信号から取得するようにしてもよいし、デジタルカメラ２００に予め記憶させておいてもよい。
【０１３１】
送信処理部２１３は、コンテンツ記憶部２１１に記憶されている各画像データについて、コンテンツ分類装置３００への送信が完了しているか否かを管理しており、未送信の各画像データについての各レコードを変形画像情報テーブルから抽出し、抽出した各レコードと、未送信の各画像データ及びデータ番号とを、無線通信部２１２を介してコンテンツ分類装置３００に送信する機能を有する。
【０１３２】
送信処理部２１３は、この送信を、ユーザからの指示に従って行う。即ち、無線通信部２１２から、ビーコン信号を受信した旨の通知を受領した際に、コンテンツ記憶部２１１に記憶されている未送信の各画像データをコンテンツ分類装置３００に送信するか否かをユーザに問い合わせるメッセージを表示部１０２に表示させる。このメッセージに対し、図示しない操作部から送信する旨のユーザ操作を受け付けた際に、送信処理部２１３は、無線通信部２１２に接続要求信号の送信を指示し、コンテンツ分類装置３００との接続確立後に、各画像データ等の送信を行う。
【０１３３】
＜コンテンツ分類装置＞
次に、コンテンツ分類装置３００の構成について説明する。
【０１３４】
コンテンツ分類装置３００は、ディスプレイを含むパーソナルコンピュータ（ＰＣ）により実現されるものであり、同図に示すように、無線通信部３０１、データ記憶部３０２、表示部３０３、検出部３０４、取得部３０５、分類部３０６を備える。
【０１３５】
ここで、無線通信部３０１は、電波の送受信を行う回路であり、例えば、ＩＥＥＥ  ８０２．１１規格に準拠した、いわゆるアクセスポイントとして動作するものである。
【０１３６】
無線通信部３０１は、いわゆるビーコン信号を繰り返し送信し、応答信号を受信した場合に、応答信号を受信した旨を検出部３０４に通知する機能を有する。
【０１３７】
また、無線通信部３０１は、自装置のＳＳＩＤを含む接続要求信号を受信した場合に、接続許可信号を送信し、デジタルカメラ２００から送信されてくる各画像データ等を受信し、取得部３０５に送出する機能を有する。
【０１３８】
データ記憶部３０２は、メモリやハードディスク等の記録媒体により実現され、無線通信部３０１を介してデジタルカメラ２００から受信した各画像データと、実施の形態１で説明した画像情報テーブル１０（図２参照）とを記憶する機能を有する。
【０１３９】
表示部３０３は、例えば、液晶ディスプレイ（ＬＣＤ）であり、分類部３０６の指示に応じて、実施の形態１で説明したのと同様のサムネイル画面等（図９参照）を表示する機能を有する。
【０１４０】
検出部３０４は、無線通信部３０１から応答信号を受信した旨の通知を受領したか否かに基づいて、デジタルカメラ２００が、自宅に存在する第１状態と、自宅に存在しない第２状態とのいずれの状態であるかの検出を繰り返し行う機能を有する。
【０１４１】
検出部３０４は、応答信号を受信した場合には第１状態であると検出し、応答信号を受信しない場合には第２状態であると検出し、検出結果を分類部３０６に送出する。
【０１４２】
取得部３０５は、無線通信部３０１から受領した各画像データをデータ番号と対応付けてデータ記憶部３０２に格納すると共に、各画像データと共に受領した各レコードを、データ記憶部３０２の画像情報テーブル１０に登録する機能を有する。
【０１４３】
分類部３０６は、実施の形態１に係る分類部１１８と同様の機能を有し、即ち、データ記憶部３０２に記憶された各画像データを、検出部１１７から受領した検出結果に基づいて、イベント期間毎に分類する機能を有し、時間情報更新部３０７及び分類処理部３０８を含んで構成される。
【０１４４】
また、分類部１１８と同様、図示しない操作部から所定のユーザ操作を受け付けた場合に、分類結果に基づいて、各画像データのサムネイルを表示部３０３に表示させる機能も有する。
【０１４５】
ここで、時間情報更新部３０７は、基本的には時間情報更新部１１９と同様の機能を有するが、前回、取得部３０５がデータ記憶部３０２に格納した各画像データについての分類を分類処理部３０８が完了したときより後の各持出日時及び各持込日時を管理する点で、時間情報更新部１１９とは異なる。即ち、実施の形態１に係る時間情報更新部１１９は、１世代分の持出日時と持込日時を管理していたが、本実施の形態に係る時間情報更新部３０７は、複数世代分の持出日時と持込日時を管理する場合がある。
【０１４６】
分類処理部３０８は、基本的には分類処理部１２０と同様の機能を有するが、取得部３０５によるデジタルカメラ２００から受信した各画像データのデータ記憶部３０２への格納が完了した後に、各画像データを生成時間順に分類していく点で、分類処理部１２０とは異なる。
【０１４７】
＜データ＞
次に、コンテンツ分類装置３００が使用するデータについて、図１１を用いて説明する。
【０１４８】
図１１（ａ）は、持出日時テーブル２０のデータ構成及び内容例を示す図である。
【０１４９】
持出日時テーブル２０は、同図に示すように、分類処理部３０８による各画像データについての前回の分類完了後に、デジタルカメラ２００がユーザの自宅に存在しなくなったことを検出した時間を、時間順に登録した持出日時情報２１からなる情報である。
【０１５０】
同図では、例えば、前回の分類完了後、デジタルカメラ２００がユーザの自宅に存在しなくなったことが、「２０１０年２月１９日１０時３６分」と「２０１０年２月２２日６時３２分」と「２０１０年２月２５日６時２０分」とに検出されたことを示している。
【０１５１】
また、図１１（ｂ）は、持込日時テーブル３０のデータ構成及び内容例を示す図である。
【０１５２】
持込日時テーブル３０は、同図に示すように、分類処理部３０８による各画像データについての前回の分類完了後に、デジタルカメラ２００がユーザの自宅に存在するようになったことを検出した時間を、時間順に登録した持込日時情報３１からなる情報である。
【０１５３】
同図では、例えば、前回の分類完了後、デジタルカメラ２００がユーザの自宅に存在するようになったことが、「２０１０年２月１９日２１時２０分」と「２０１０年２月２４日１６時２０分」とに検出されたことを示している。
【０１５４】
＜動作＞
次に、コンテンツ分類装置３００の動作について説明する。
【０１５５】
＜更新処理＞
時間情報更新部３０７による持出日時テーブル２０及び持込日時テーブル３０の更新処理は、実施の形態１に係る時間情報更新部１１９による持出日時情報及び持込日時情報の更新処理（図３参照）のうち、ステップＳ４及びステップＳ６の処理を若干変更したものである。
【０１５６】
特に図示して説明しないが、具体的には、ステップＳ４の処理を、計時部から取得した日時を示す持出日時情報を持出日時テーブル２０に追加するように変更し、ステップＳ６の処理を、計時部から取得した日時を示す持込日時情報を持込日時テーブル３０に追加するように変更したものである。
【０１５７】
＜分類処理＞
図１２は、分類処理部３０８による分類処理を示すフローチャートである。
【０１５８】
デジタルカメラ２００から受信した各画像データが、データ番号と対応付けられて、取得部３０５によりデータ記憶部３０２へ格納され、各レコードが画像情報テーブル１０に登録されると、分類処理部３０８は、未分類の画像データがあるか否かを判定する（ステップＳ２１）。
【０１５９】
分類処理部３０８は、画像情報テーブル１０において、グループ番号が登録されていないレコードがある場合には、未分類の画像データがある（ステップＳ２１：ＹＥＳ）と判定し、グループ番号が登録されていないレコードがない場合には、未分類の画像データがない（ステップＳ２１：ＮＯ）と判定する。
【０１６０】
未分類の画像データがある場合には（ステップＳ２１：ＹＥＳ）、分類処理部３０８は、未分類の画像データの中で最も生成日時が古い画像データ（以下、「対象画像データ」ともいう）の生成日時情報、及び対象画像データの１つ前に生成された画像データの生成日時情報を画像情報テーブル１０から読み出す（ステップＳ２２、Ｓ２３）。
【０１６１】
また、分類処理部３０８は、各持出日時情報を持出日時テーブル２０から読み出す（ステップＳ２４）。
【０１６２】
分類処理部３０８は、ステップＳ２３で読み出した１つ前に生成された画像データの生成日時情報が示す生成日時と、ステップＳ２２で読み出した対象画像データの生成日時情報が示す生成日時との間に、ステップＳ２４で読み出したいずれかの持出日時情報が示す持出日時が含まれるか否かを判定する（ステップＳ２５）。
【０１６３】
いずれの持出日時も含まれない場合には（ステップＳ２５：ＮＯ）、各持込日時情報を持込日時テーブル３０から読み出す（ステップＳ２６）。
【０１６４】
続いて、分類処理部３０８は、ステップＳ２３で読み出した１つ前に生成された画像データの生成日時情報が示す生成日時と、ステップＳ２２で読み出した対象画像データの生成日時情報が示す生成日時との間に、ステップＳ２６で読み出したいずれかの持込日時情報が示す持込日時が含まれるか否かを判定する（ステップＳ２７）。
【０１６５】
いずれの持込日時も含まれない場合には（ステップＳ２７：ＮＯ）、対象画像データを、図４のステップＳ１７の処理と同様に、１つ前に生成された画像データと同じグループに分類し（ステップＳ２８）、再びステップＳ２１から処理を行う。
【０１６６】
また、ステップＳ２５で、いずれかの持出日時が含まれる場合（ステップＳ２５：ＹＥＳ）、及びステップＳ２７で、いずれかの持込日時が含まれる場合（ステップＳ２７：ＹＥＳ）には、対象画像データを、図４のステップＳ１８の処理と同様に、新たなグループに分類し（ステップＳ２９）、再びステップＳ２１から処理を行う。
【０１６７】
ステップＳ２１において、未分類の画像データがなくなった場合には（ステップＳ２１：ＮＯ）、分類処理部３０８は、分類処理を終了する。
【０１６８】
なお、分類処理部３０８が分類処理を終了した際に、時間情報更新部３０７は、持出日時テーブル２０に登録されている各持出日時情報及び持込日時テーブル３０に登録されている各持込日時情報を削除する。
【０１６９】
＜具体例による動作の説明＞
上述したコンテンツ分類装置３００による分類処理について、図５、図７、図８、図１１に示す具体例を用いて、図１２に示すフローチャートに即して説明する。
【０１７０】
以下では、図５に示すタイミングで生成された画像データＰ１〜Ｐ１１と、これらの画像データについての変形画像情報テーブルの各レコードとをコンテンツ分類装置３００がデジタルカメラ２００から受信し、これらの画像データＰ１〜Ｐ１１がデータ記憶部３０２へ格納され、各レコードが画像情報テーブル１０に登録された場合を例にして説明する。
【０１７１】
＜画像データＰ１の分類処理＞
この例では、未分類の画像データＰ１〜Ｐ１１があるので（図１２のステップＳ２１：ＹＥＳ）、分類処理部３０８は、この中で最も生成日時が古い画像データＰ１の生成日時情報（この例では「２０１０年２月２１日１９時３０分」を示す）、及びその画像データの１つ前に生成された画像データの生成日時情報（この例では、「２０１０年２月２１日１８時１０分」を示すものとする）を画像情報テーブル１０から読み出す（ステップＳ２２、Ｓ２３）。
【０１７２】
また、分類処理部３０８は、各持出日時情報（図１１（ａ）に示すように、「２０１０年２月１９日１０時３６分」と「２０１０年２月２２日６時３２分」と「２０１０年２月２５日６時２０分」とを示す）を持出日時テーブル２０から読み出す（ステップＳ２４）。
【０１７３】
分類処理部３０８は、ステップＳ２３で読み出した生成日時情報が示す生成日時（２０１０年２月２１日１８時１０分）と、ステップＳ２２で読み出した生成日時情報が示す生成日時（２０１０年２月２１日１９時３０分）との間には、いずれの持出日時も含まれないので（ステップＳ２５：ＮＯ）、各持込日時情報（図１１（ｂ）に示すように、「２０１０年２月１９日２１時２０分」と「２０１０年２月２４日１６時２０分」とを示す）を持込日時テーブル３０から読み出す（ステップＳ２６）。
【０１７４】
分類処理部３０８は、ステップＳ２３で読み出した生成日時情報が示す生成日時（２０１０年２月２１日１８時１０分）と、ステップＳ２２で読み出した生成日時情報が示す生成日時（２０１０年２月２１日１９時３０分）との間には、いずれの持込日時も含まれないので（ステップＳ２７：ＮＯ）、画像データＰ１を１つ前に生成された画像データと同じグループに分類する（ステップＳ２８）。
【０１７５】
この結果、実施の形態１で説明したのと同様に、図７（ａ）に示すように、画像情報テーブル１０のデータ番号が「ｎ−１」である画像データＰ１のグループ番号には、画像データＰ１の１つ前に生成されたデータ番号が「ｎ−２」である画像データのグループ番号と同じ「ｍ−１」が登録される。
【０１７６】
＜画像データＰ２の分類処理＞
この例では、未分類の画像データＰ２〜Ｐ１１があるので（ステップＳ２１：ＹＥＳ）、分類処理部３０８は、この中で最も生成日時が古い画像データＰ２の生成日時情報（この例では「２０１０年２月２２日７時１０分」を示す）、及びその画像データの１つ前に生成された画像データの生成日時情報（この例では、「２０１０年２月２１日１９時３０分」を示す）を画像情報テーブル１０から読み出す（ステップＳ２２、Ｓ２３）。
【０１７７】
また、分類処理部３０８は、各持出日時情報（「２０１０年２月１９日１０時３６分」と「２０１０年２月２２日６時３２分」と「２０１０年２月２５日６時２０分」とを示す）を持出日時テーブル２０から読み出す（ステップＳ２４）。
【０１７８】
分類処理部３０８は、ステップＳ２３で読み出した生成日時情報が示す生成日時（２０１０年２月２１日１９時３０分）と、ステップＳ２２で読み出した生成日時情報が示す生成日時（２０１０年２月２２日７時１０分）との間に、持出日時（２０１０年２月２２日６時３２分）が含まれるので（ステップＳ２５：ＹＥＳ）、画像データＰ２を、新たなグループに分類する（ステップＳ２９）。
【０１７９】
この結果、実施の形態１で説明したのと同様に、図７（ｂ）に示すように、画像情報テーブル１０のデータ番号が「ｎ」である画像データＰ２のグループ番号には、画像データＰ２の１つ前に生成された画像データＰ１のグループ番号「ｍ−１」を１つ増加させた「ｍ」が登録される。
【０１８０】
＜画像データＰ３〜Ｐ９の分類処理＞
画像データＰ３〜Ｐ９については、上記＜画像データＰ１の分類処理＞と同様に処理されて、画像データＰ３〜Ｐ９は、画像データＰ２と同じグループに分類される。
【０１８１】
この結果、実施の形態１で説明したのと同様に、図７（ｃ）に示すように、画像情報テーブル１０には、データ番号が「ｎ＋１」〜「ｎ＋７」である画像データＰ３〜Ｐ９のグループ番号には、画像データＰ２と同一のグループ番号「ｍ」が登録される。
【０１８２】
＜画像データＰ１０の分類処理＞
この例では、未分類の画像データＰ１０、Ｐ１１があるので（図１２のステップＳ２１：ＹＥＳ）、分類処理部３０８は、この中で最も生成日時が古い画像データＰ１０の生成日時情報（この例では「２０１０年２月２５日５時１０分」を示す）、及びその画像データの１つ前に生成された画像データの生成日時情報（この例では、「２０１０年２月２４日１５時１０分」を示す）を画像情報テーブル１０から読み出す（ステップＳ２２、Ｓ２３）。
【０１８３】
また、分類処理部３０８は、各持出日時情報（図１１（ａ）に示すように、「２０１０年２月１９日１０時３６分」と「２０１０年２月２２日６時３２分」と「２０１０年２月２５日６時２０分」とを示す）を持出日時テーブル２０から読み出す（ステップＳ２４）。
【０１８４】
分類処理部３０８は、ステップＳ２３で読み出した生成日時情報が示す生成日時（２０１０年２月２４日１５時１０分）と、ステップＳ２２で読み出した生成日時情報が示す生成日時（２０１０年２月２５日５時１０分）との間には、いずれの持出日時も含まれないので（ステップＳ２５：ＮＯ）、各持込日時情報（図１１（ｂ）に示すように、「２０１０年２月１９日２１時２０分」と「２０１０年２月２４日１６時２０分」とを示す）を持込日時テーブル３０から読み出す（ステップＳ２６）。
【０１８５】
分類処理部３０８は、ステップＳ２３で読み出した生成日時情報が示す生成日時（２０１０年２月２４日１５時１０分）と、ステップＳ２２で読み出した生成日時情報が示す生成日時（２０１０年２月２５日５時１０分）との間に、持込日時（２０１０年２月２４日１６時２０分）が含まれるので（ステップＳ２７：ＹＥＳ）、画像データＰ１０を、新たなグループに分類する（ステップＳ２９）。
【０１８６】
この結果、実施の形態１で説明したのと同様に、図８（ａ）に示すように、画像情報テーブル１０には、データ番号が「ｎ＋８」である画像データＰ１０のグループ番号には、画像データＰ１０の１つ前に生成された画像データＰ９のグループ番号「ｍ」を１つ増加させた「ｍ＋１」が登録される。
【０１８７】
＜画像データＰ１１の分類処理＞
画像データＰ１１については、上記＜画像データＰ２の分類処理＞と同様に処理されて、画像データＰ１１は、画像データＰ１０とは異なるグループに分類される。
【０１８８】
この結果、実施の形態１で説明したのと同様に、図８（ｂ）に示すように、画像情報テーブル１０には、データ番号が「ｎ＋９」である画像データＰ１１のグループ番号には、画像データＰ１１の１つ前に生成された画像データＰ１０のグループ番号「ｍ＋１」を１つ増加させた「ｍ＋２」が登録される。
【０１８９】
≪変形例１≫
実施の形態２に係るコンテンツ分類システム１０００では、デジタルカメラ２００から応答信号を受信したか否かに基づいて、デジタルカメラ２００が、ユーザの自宅に存在する第１状態と、自宅に存在しない第２状態とのいずれの状態であるかの検出をコンテンツ分類装置３００が行う例を説明した。
【０１９０】
以下では、デジタルカメラをＩＣ（Integrated Circuit）タグを備えるものに変形し、このＩＣタグからの信号を受信したか否かに基づいて、コンテンツ分類装置がデジタルカメラの状態（第１状態又は第２状態）を検出するように変えた一変形例を、実施の形態２との相違点を中心に説明する。
【０１９１】
＜構成＞
変形例１に係るコンテンツ分類システム１１００の構成について、図１３を用いて説明する。
【０１９２】
図１３は、変形例１に係るコンテンツ分類システム１１００のシステム構成を示すブロック図である。
【０１９３】
同図に示すように、コンテンツ分類システム１１００は、デジタルカメラ４００と、コンテンツ分類装置５１０を含むパーソナルコンピュータ（ＰＣ）５００とから構成され、デジタルカメラ４００とＰＣ５００とは、ＵＳＢ（Universal Serial Bus）ケーブル１により接続可能である。このＵＳＢケーブル１は、例えば、ＵＳＢ２．０規格に準拠したものであり、ケーブル長は、例えば、５０ｃｍ程度であるとする。
【０１９４】
まず、デジタルカメラ４００の構成について説明する。
【０１９５】
デジタルカメラ４００は、同図に示すように、実施の形態２に係るデジタルカメラ２００のコンテンツ生成装置２１０に代えてコンテンツ生成装置４１０を備え、更に、ＵＳＢインタフェース部４０１を備えるものである。
【０１９６】
ＵＳＢインタフェース部４０１は、後述するＵＳＢインタフェース部５０１を介して、ＰＣ５００との接続を検出すると、その旨をコンテンツ生成装置４１０に通知し、コンテンツ生成装置４１０の指示に基づいて、各画像データ等をＰＣ５００に送信する機能を有する。
【０１９７】
また、コンテンツ生成装置４１０は、実施の形態２に係るコンテンツ生成装置２１０の無線通信部２１２及び送信処理部２１３に代えて、ＩＣタグ４１１及び送信処理部４１２を備えるものである。
【０１９８】
ここで、ＩＣタグ４１１は、ＬＦ（Low Frequency）帯の信号を受信するためのＬＦアンテナ及びＵＨＦ（Ultra High Frequency）帯の信号を送信するためのＵＨＦアンテナを含み、ＬＦ帯の信号を受信する毎に、自装置の識別情報を含ませたＵＨＦ帯の信号を送信する機能を有する。
【０１９９】
また、送信処理部４１２は、基本的には、実施の形態２に係る送信処理部２１３と同様の機能を有するが、ＵＳＢインタフェース部４０１からＰＣ５００との接続を検出した旨の通知を受領した際に、ＰＣ５００へ送信していない各画像データ及び各データ番号と、変形画像情報テーブルから抽出した、未送信の各画像データに対応する各レコードとを、ＵＳＢインタフェース部４０１を介して、ＰＣ５００に送信する点で、送信処理部２１３と異なる。
【０２００】
なお、送信処理部４１２は、ＵＳＢインタフェース部４０１からＰＣ５００との接続を検出した旨の通知を受領した際に、コンテンツ記憶部２１１に記憶されている未送信の各画像データをＰＣ５００に送信するか否かをユーザに問い合わせるメッセージを表示部１０２に表示し、図示しない操作部から各画像データを送信する旨のユーザ操作を受け付けた際に、各画像データ等を送信する。
【０２０１】
次に、ＰＣ５００の構成について説明する。
【０２０２】
ＰＣ５００は、同図に示すように、ＵＳＢインタフェース部５０１及びコンテンツ分類装置５１０を備える。
【０２０３】
ＵＳＢインタフェース部５０１は、ＵＳＢインタフェース部４０１を介して、デジタルカメラ４００との接続を検出し、デジタルカメラ４００から送信された各画像データ等を受信し、取得部５１３に送出する機能を有する。
【０２０４】
コンテンツ分類装置５１０は、実施の形態２に係るコンテンツ分類装置３００の無線通信部３０１、検出部３０４、取得部３０５に代えてＩＣタグリーダ５１１、検出部５１２、取得部５１３を備えるものである。
【０２０５】
ここで、ＩＣタグリーダ５１１は、ＬＦ帯の信号を送信するためのＬＦアンテナを含み、ＬＦ帯の信号を繰り返し送信する機能を有する。なお、ＬＦ帯の信号の受信可能範囲は比較的狭い範囲に限られ、本実施の形態では、障害物がない状態でコンテンツ分類装置５１０から１．５ｍ程度の範囲まで、デジタルカメラ４００が接近した場合に、デジタルカメラ４００はこのＬＦ帯の信号を受信できるものとする。
【０２０６】
また、ＩＣタグリーダ５１１は、ＵＨＦ帯の信号を受信するためのＵＨＦアンテナを含み、予め記憶しているデジタルカメラ４００の識別情報を含むＵＨＦ帯の信号を受信した場合に、その旨を検出部５１２に通知する機能を有する。
【０２０７】
検出部５１２は、基本的には、実施の形態２に係る検出部３０４と同様の機能を有するが、ＩＣタグリーダ５１１から、デジタルカメラ４００の識別情報を含むＵＨＦ帯の信号を受信した旨の通知を受領したか否かに基づいて、デジタルカメラ４００が、第１状態と第２状態とのいずれの状態であるかの検出を行う点で、検出部３０４とは異なる。
【０２０８】
取得部５１３は、基本的には、実施の形態２に係る取得部３０５と同様の機能を有するが、デジタルカメラ４００から送信された各画像データ等をＵＳＢインタフェース部５０１から受領する点で、取得部３０５とは異なる。
【０２０９】
＜動作＞
コンテンツ分類装置５１０の分類部３０６による持出日時テーブル２０及び持込日時テーブル３０の更新処理、及び分類処理は、実施の形態２で説明した通りであるため、説明は省略する。
【０２１０】
≪変形例２≫
変形例１に係るコンテンツ分類システム１１００では、デジタルカメラ４００の識別情報を含むＵＨＦ帯の信号を受信したか否かに基づいて、デジタルカメラ４００が、ユーザの自宅に存在する第１状態と、自宅に存在しない第２状態とのいずれの状態であるかの検出をＰＣ５００が行う例を説明した。
【０２１１】
以下では、ＵＳＢケーブルを介してデジタルカメラと接続したことを検出したか否かに基づいて、デジタルカメラの状態をコンテンツ分類装置を含むＰＣが検出するようにした一変形例を、変形例１との相違点を中心に説明する。
【０２１２】
＜構成＞
変形例２に係るコンテンツ分類システム１２００の構成について、図１４を用いて説明する。
【０２１３】
図１４は、変形例２に係るコンテンツ分類システム１２００のシステム構成を示すブロック図である。
【０２１４】
同図に示すように、コンテンツ分類システム１２００は、デジタルカメラ４５０と、コンテンツ分類装置５５２を含むＰＣ５５０とから構成され、デジタルカメラ４５０とＰＣ５５０とは、変形例１の場合と同様、ＵＳＢケーブル１により接続可能である。
【０２１５】
ここで、デジタルカメラ４５０は、同図に示すように、変形例１に係るデジタルカメラ４００のコンテンツ生成装置４１０に代えてコンテンツ生成装置４５１を備え、コンテンツ生成装置４５１は、コンテンツ生成装置４１０のＩＣタグ４１１を除いた各構成要素を有するものである。
【０２１６】
また、ＰＣ５５０は、同図に示すように、変形例１に係るＰＣ５００のＵＳＢインタフェース部５０１及びコンテンツ分類装置５１０に代えて、ＵＳＢインタフェース部５５１及びコンテンツ分類装置５５２を備えるものである。
【０２１７】
ここで、ＵＳＢインタフェース部５５１は、変形例１に係るＵＳＢインタフェース部５０１と同様の機能に加え、更に、ＵＳＢインタフェース部４０１を介して、デジタルカメラ４５０との接続及び切断を検出した際に、その旨を検出部５５３に通知する機能を有する。
【０２１８】
コンテンツ分類装置５５２は、変形例１に係るコンテンツ分類装置５１０の検出部５１２に代えて検出部５５３を備え、更にＩＣタグリーダ５１１を除いた各構成要素を有するものである。
【０２１９】
検出部５５３は、基本的には、変形例１に係る検出部５１２と同様の機能を有するが、ＵＳＢインタフェース部５５１からのデジタルカメラ４５０との接続を検出した旨、及び切断を検出した旨の通知に基づいて、デジタルカメラ４５０が、第１状態と第２状態とのいずれの状態であるかの検出を行う点で、検出部５１２とは異なる。
【０２２０】
即ち、検出部５５３は、接続を検出した旨の通知を受領後、切断を検出した旨の通知を受領するまでの間、第１状態であると繰り返し検出し、切断を検出した旨の通知を受領後、接続を検出した旨の通知を受領するまでの間、第２状態であると繰り返し検出する。
【０２２１】
＜動作＞
コンテンツ分類装置５５２の分類部３０６による持出日時テーブル２０及び持込日時テーブル３０の更新処理、及び分類処理は、実施の形態２で説明した通りであるため、説明は省略する。
【０２２２】
≪補足≫
以上、本発明に係るコンテンツ分類システム、コンテンツ生成分類装置、及びコンテンツ分類装置を、各実施の形態及び各変形例（以下、単に「実施の形態」ともいう）に基づいて説明したが、以下のように変形することも可能であり、本発明は上述した実施の形態で示した通りのコンテンツ分類システム、コンテンツ生成分類装置、及びコンテンツ分類装置に限られないことは勿論である。
【０２２３】
（１）実施の形態では、分類対象であるコンテンツの一例として、デジタルカメラが撮影し生成した画像データを用いて説明したが、これに限らず、ユーザが持出可能な各種機器により生成された各種データを分類対象としてもよい。例えば、各種機器としては、例えば、携帯電話機、ノートパソコンやＰＤＡ（Personal Digital Assistant）等の携帯端末、ビデオカメラ等が挙げられる。また、各種データとしては、例えば、動画像データや音声データ、ライフログ等が挙げられる。
【０２２４】
（２）変形例１に係るＩＣタグ４１１は、ＬＦ帯の信号を受信した場合に、ＵＨＦ帯の信号を送信するものとして説明したが、このＩＣタグを、ＬＦ帯の信号を受信しなくても、ＬＦ帯の信号又はＵＨＦ帯の信号を送信するように変形してもよい。この場合、変形例１に係るＩＣタグリーダ５１１は、ＬＦ帯の信号を送信する必要はなくなり、この変形に係るＩＣタグから送信される信号の受信ができればよい。
【０２２５】
（３）実施の形態２では、コンテンツ分類装置３００が、デジタルカメラ２００の状態（第１状態又は第２状態）の検出及び各画像データの分類を行うものとして説明した。
【０２２６】
しかしながら、コンテンツ分類装置３００から送信されるビーコン信号を受信したか否かに基づいて、デジタルカメラ２００が自装置の状態を検出するようにし、また、各画像データの分類を行うように変形してもよい。以下、この項では、この変形に係るデジタルカメラを「変形デジタルカメラ」という。
【０２２７】
また、この変形とあわせて、変形デジタルカメラから無線通信部３０１を介して取得した各画像データをデータ記憶部３０２に記憶するコンテンツ管理装置として機能させるようコンテンツ分類装置３００を変形してもよい。
【０２２８】
コンテンツ管理装置は、パーソナルコンピュータにより実現する場合だけでなく、データを記憶する機能を有する装置（例えば、ＮＡＳ（Network Attached Storage）、サーバ等のコンピュータ）に無線通信機能を持たせることで実現してもよい。なお、特に、分類対象とするコンテンツを、動画像データとした場合には、ＨＤＤ（Hard Disk Drive）レコーダに無線通信機能を持たせることで、実現することも考えられる。
【０２２９】
また、上記変形では、コンテンツ管理装置は、無線通信部３０１を介して各画像データを変形デジタルカメラから取得するものとして説明したが、変形例１で説明したように、ＵＳＢを介して各画像データを取得するようにしてもよい。
【０２３０】
（４）実施の形態１では、デジタルカメラ１００から各画像データを取得し記憶するコンテンツ管理装置については、特に説明しなかったが、デジタルカメラ１００を無線又は有線により接続可能なものに変形し、この変形に係るデジタルカメラと、このデジタルカメラに無線又は有線により接続可能なコンテンツ管理装置とからなるコンテンツ分類システムを構成してもよい。
【０２３１】
（５）実施の形態１では、グループ選択画面ＳＣ１（図９（ａ）参照）に含まれる各アイコンに、そのアイコンが示すグループに属する画像データの生成場所として、「自宅」又は「外出先」を表示するものとして説明したが、デジタルカメラ１００が撮影を行った際に、ＧＰＳ衛星からの信号に基づく撮影位置（緯度、経度）を記憶しておき、具体的な場所（県名、市名、地域名等）を表示するように変形してもよい。
【０２３２】
（６）実施の形態では、持出日時情報と持込日時情報とを区別して記憶しておくものとして説明したが、特に区別せずに、デジタルカメラの状態が変化した日時を示す情報を複数世代分記憶するようにしてもよい。
【０２３３】
但し、この場合、デジタルカメラがユーザの自宅から持ち出されたのか、自宅に持ち込まれたのかが判定できなくなるので、グループ選択画面ＳＣ１（図９（ａ）参照）に含まれる各アイコンに、そのアイコンが示すグループに属する画像データの生成場所（自宅又は外出先）を表示することはできなくなる。
【０２３４】
（７）変形例１及び変形例２では、デジタルカメラとＰＣとを接続するための接続手段の一例として、ＵＳＢケーブルを用いて説明したが、接続手段として、ＵＳＢケーブル以外のケーブル、例えば、ＲＳ−２３２Ｃケーブルを用いてもよい。
【０２３５】
（８）実施の形態２及び各変形例では、コンテンツ生成装置を含むデジタルカメラの数は１つであるものとして説明したが、複数あってもよい。その場合、各デジタルカメラのコンテンツ生成装置は、各画像データ等を送信する際に、予め設定されている自装置の識別情報も送るようにし、実施の形態２及び各変形例に係るコンテンツ分類装置の分類処理部は、受信した識別情報に基づいて、各デジタルカメラのコンテンツ生成装置毎に、分類処理を行うようにしてもよい。
【０２３６】
（９）変形例１では、デジタルカメラ４００で生成された各画像データを、ＵＳＢケーブル１を介してＰＣ５００が取得する例を説明した。しかしながら、例えば、コンテンツ記憶部２１１をデジタルカメラ４００から取り外し可能なメモリカード（不揮発性のメモリ）により実現することとし、また、ＰＣ５００にメモリカードの読取装置を接続するようにし、デジタルカメラ４００から取り外したメモリカードからこの読取装置を用いて各画像データを取得するようにしてもよい。なお、この変形を行った場合、各ＵＳＢインタフェース部（４０１、５０１）は不要である。
【０２３７】
（１０）実施の形態２に係るデジタルカメラ２００が備えるコンテンツ生成装置２１０の送信処理部２１３は、ユーザ操作の受付を待って、無線通信部２１２に接続要求信号の送信を指示するものとして説明したが、ユーザ操作の受付を待つことなく、無線通信部２１２からビーコン信号を受信した旨の通知を受けた際に、自動的に接続要求信号の送信を指示し、コンテンツ分類装置３００との接続確立後に、各画像データ等の送信を行うようにしてもよい。
【０２３８】
また、各変形例に係るデジタルカメラが備えるコンテンツ生成装置の送信処理部４１２についても同様に、ユーザ操作の受付を待つことなく、ＵＳＢインタフェース部４０１から各変形例に係るＰＣとの接続を検出した旨の通知を受けた際に、各画像データ等の送信を行うようにしてもよい。
【０２３９】
（１１）実施の形態２では、デジタルカメラ２００の送信処理部２１３が、コンテンツ記憶部２１１に記憶されている各画像データについて、コンテンツ分類装置３００への送信が完了しているか否かを管理するものとして説明したが、この管理を、コンテンツ分類装置３００が行うように、デジタルカメラ２００及びコンテンツ分類装置３００を変形してもよい。
【０２４０】
具体的には、例えば、この変形に係るコンテンツ分類装置が、この変形に係るデジタルカメラに対し、コンテンツ記憶部２１１に記憶されている各画像データのデータ番号のリストの送信を要求する。
【０２４１】
この要求に応じて、この変形に係るデジタルカメラは、変形画像情報テーブルから各データ番号を抽出し、抽出したデータ番号のリストを、この変形に係るコンテンツ分類装置に送信する。
【０２４２】
データ番号のリストを受信すると、この変形に係るコンテンツ分類装置は、データ記憶部３０２に記憶されている画像情報テーブル１０における最新のデータ番号を取得し、この最新のデータ番号に１を加えたデータ番号以降のデータ番号が、受信したリストに含まれているか否かを判定する。
【０２４３】
受信したリストに含まれている旨の判定を行った場合には、未送信の画像データが、この変形に係るデジタルカメラに記憶されていることになるため、この変形に係るコンテンツ分類装置は、この変形に係るデジタルカメラに対し、上記最新のデータ番号に１を加えたデータ番号以降のデータ番号と対応付けられた各画像データの送信を要求する。
【０２４４】
この要求に応じて、この変形に係るデジタルカメラは、該当の各画像データ（つまり、未送信の各画像データ）及びデータ番号と、変形画像情報テーブルにおけるその各画像データについての各レコードとをこの変形に係るコンテンツ分類装置に送信する。
【０２４５】
各画像データ等を受信すると、この変形に係るコンテンツ分類装置は、実施の形態２で説明したのと同様に、受信した各画像データのデータ記憶部３０２への格納と、受信した各レコードの画像情報テーブル１０への登録を行う。
【０２４６】
（１２）実施の形態において説明した各構成要素のうち、全部又は一部を１チップ又は複数チップの集積回路で実現してもよいし、コンピュータのプログラムで実現してもよいし、その他どのような形態で実現してもよい。
【０２４７】
また、実施の形態において説明したコンテンツ生成分類装置１１０の各構成要素は、コンテンツ生成分類装置１１０が有するプロセッサと協働することにより、コンテンツ分類装置３００、５１０、５５２の各構成要素は、コンテンツ分類装置３００、５１０、５５２が有するプロセッサと協働することにより、その機能を実現する。
【０２４８】
（１３）実施の形態において説明した更新処理及び分類処理（図３、図４、図１２参照）をプロセッサに実行させるためのプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示したコンテンツ生成分類装置、コンテンツ分類装置の各機能が実現される。
【０２４９】
（１４）実施の形態に係るコンテンツ分類システムに、上記（１）〜（１３）の一部又は全部の変形を組み合わせて適用してもよい。
【０２５０】
（１５）以下、更に本発明の一実施形態に係るコンテンツ分類システム、コンテンツ生成分類装置、及びコンテンツ分類装置の構成及びその変形例と各効果について説明する。
【０２５１】
（ａ）本発明の一実施形態に係るコンテンツ分類システムは、逐次コンテンツを生成するコンテンツ生成装置を含むコンテンツ分類システムであって、前記コンテンツ生成装置が、所定位置に存在する第１状態と、前記所定位置に存在しない第２状態とのいずれの状態であるかの検出を繰り返し行う検出手段と、前記コンテンツ生成装置により生成された２つのコンテンツの各生成時の間に、前記検出手段が検出した状態に変化が生じている場合には、当該２つのコンテンツを異なるグループに分類し、前記検出手段が検出した状態に変化が生じていない場合には、当該２つのコンテンツを同一のグループに分類する分類処理を行う分類手段とを備える。
【０２５２】
このコンテンツ分類システムによれば、所定位置以外の場所で行われた行事Ａで生成された２つのコンテンツは同じグループに分類でき、この行事Ａで生成されたコンテンツと所定位置で行われた行事Ｂで生成されたコンテンツとの２つのコンテンツは異なるグループに分類できる。
【０２５３】
つまり、このコンテンツ分類システムによれば、２つの行事の間にコンテンツ生成装置を持ったユーザが立ち寄る可能性が高い場所を所定位置に設定しておくことで、行事毎に分類する可能性を高めることができる。
【０２５４】
（ｂ）また、前記分類手段は、前記コンテンツ生成装置により生成された生成順が連続する２つのコンテンツからなる各組について、前記分類処理を行うこととしてもよい。
【０２５５】
このコンテンツ分類システムによれば、コンテンツ生成装置が所定位置にある状態と所定位置にない状態とのうち、同一の状態が続いている期間（つまり、イベント期間）毎に、そのイベント期間で生成された各コンテンツを同じグループに分類する。
【０２５６】
ここで、コンテンツ生成装置のユーザが、順に行われる２つの行事Ａ、Ｂに参加する場合において、一般的には、行事Ａへの参加後、行事Ｂへの参加前に、このコンテンツ生成装置を持ったユーザが帰宅したり、外出したりといった事象が発生する可能性が高いと考えられる。
【０２５７】
従って、例えば、所定位置をコンテンツ生成装置のユーザの自宅に設定しておくことで、このユーザがコンテンツ生成装置を持って外出し、外出先で数日間に跨って行われた行事Ａにおいて生成された各コンテンツを同じグループに分類でき、また、このユーザがコンテンツ生成装置を持って帰宅し、自宅で行われた行事Ｂや、一旦帰宅後、再び外出し、外出先で行われた行事Ｂにおいて生成された各コンテンツを、行事Ａについてのグループとは異なるグループに分類できる。
【０２５８】
つまり、このコンテンツ分類システムでは、生成したコンテンツをイベント期間毎に分類することで、結果として、生成したコンテンツを行事毎に分類する可能性を高めることができる。
【０２５９】
（ｃ）また、前記コンテンツ生成装置は、所定範囲で受信可能な第１の無線信号を送信する第１通信手段と、生成したコンテンツと当該コンテンツの生成時間情報とからなるコンテンツ情報を記憶するコンテンツ記憶手段とを備え、前記コンテンツ分類システムは、更に前記検出手段及び前記分類手段と、前記第１の無線信号を受信可能な第２通信手段と、前記コンテンツ記憶手段に記憶されている各コンテンツ情報を取得する取得手段とを備え、前記所定位置に設置されたコンテンツ分類装置を含み、前記検出手段は、前記第２通信手段が前記第１の無線信号を受信した場合に、前記第１状態であると検出し、前記第２通信手段が所定時間以内に前記第１の無線信号を受信しない場合に、前記第２状態であると検出し、前記分類手段による前記分類処理は、前記取得手段が取得した各コンテンツ情報を構成する各コンテンツを、当該コンテンツが属するグループ別に管理する処理であることとしてもよい。
【０２６０】
このコンテンツ分類システムによれば、コンテンツ分類装置は、自装置から所定範囲内にコンテンツ生成装置が存在する場合に受信可能な第１の無線信号を受信の有無により、コンテンツ生成装置が第１状態と第２状態とのいずれの状態にあるかを検出する。
【０２６１】
従って、この所定範囲を比較的狭い範囲に設定しておくことで、コンテンツ生成装置の状態を適切に検出し、行事毎に分類する可能性を高めることができる。
【０２６２】
（ｄ）また、前記第２通信手段は、更に前記所定範囲で受信可能な第２の無線信号を繰り返し送信するものであり、前記第１通信手段は、更に前記第２の無線信号を受信することが可能であり、当該第２の無線信号を受信した際に、前記第１の無線信号を送信し、前記第２通信手段は、前記第２の無線信号を送信した時を基準に、前記所定時間を計時することとしてもよい。
【０２６３】
このコンテンツ分類システムによれば、コンテンツ生成装置からの第１の無線信号の送信は、このコンテンツ生成装置がコンテンツ分類装置から所定範囲内に存在する場合に行われるので、この所定範囲を比較的狭い範囲に設定しておくことで、コンテンツ生成装置が、第１状態と第２状態とのいずれの状態にあるかを適切に検出し、行事毎に分類する可能性を高めることができる。
【０２６４】
（ｅ）また、前記第１通信手段は、前記第１の無線信号として、前記コンテンツ生成装置の識別情報を含む信号を繰り返し送信するＩＣタグであり、前記第２通信手段は、ＩＣタグリーダであることとしてもよい。
【０２６５】
このコンテンツ分類システムによれば、ＩＣタグとＩＣタグリーダという既存の仕組みを用いてコンテンツ生成装置が第１状態と第２状態とのいずれの状態にあるかを適切に検出できるので、比較的容易に実装することができる。
【０２６６】
（ｆ）また、前記コンテンツ生成装置は、前記検出手段及び前記分類手段と、特定の無線信号を受信するための受信手段とを備え、前記検出手段は、前記受信手段が受信した前記無線信号に基づいて、前記検出を行うこととしてもよい。
【０２６７】
このコンテンツ分類システムによれば、コンテンツを生成するコンテンツ生成装置が分類を行うため、コンテンツの生成から分類までを１つの装置で一括して行うことができる。
【０２６８】
（ｇ）また、前記無線信号は、ＧＰＳ衛星から送信された信号であり、前記コンテンツ生成装置は、更に前記所定位置の緯度及び経度を示す位置情報を記憶する位置記憶手段と、前記受信手段が受信した前記無線信号に基づいて、自装置の位置を示す緯度及び経度を算出する位置取得手段とを備え、前記検出手段は、前記位置記憶手段が記憶する前記位置情報が示す緯度及び経度と、前記位置取得手段が算出した緯度及び経度との差が、所定値以下である場合に、前記第１状態であると検出し、当該所定値より大きい場合に、前記第２状態であると検出することとしてもよい。
【０２６９】
このコンテンツ分類システムによれば、既存のＧＰＳの仕組みを用いてコンテンツ生成装置が第１状態と第２状態とのいずれの状態にあるかを適切に検出できるので、比較的容易に実装することができる。
【０２７０】
（ｈ）また、前記コンテンツ生成装置は、更に生成したコンテンツと当該コンテンツの生成時間情報とからなるコンテンツ情報を記憶するコンテンツ記憶手段を備え、コンテンツ分類システムは、前記無線信号を繰り返し送信する送信手段と、前記コンテンツ記憶手段に記憶されている各コンテンツ情報を取得する取得手段とを備え、前記所定位置に設置されたコンテンツ管理装置を含み、前記無線信号は、所定範囲でのみ受信可能であり、前記検出手段は、前記受信手段が前記無線信号を受信した場合に、前記第１状態であると検出し、前記受信手段が所定時間以内に前記無線信号を受信しない場合に、前記第２状態であると検出し、前記分類手段による前記分類処理は、前記取得手段が取得した各コンテンツ情報を構成する各コンテンツを、当該コンテンツが属するグループ別に管理する処理であることとしてもよい。
【０２７１】
このコンテンツ分類システムによれば、コンテンツ生成装置は、コンテンツ管理装置から所定範囲内に自装置が存在する場合に受信可能な無線信号の受信の有無により自装置が第１状態と第２状態とのいずれの状態にあるかを検出する。
【０２７２】
従って、この所定範囲を比較的狭い範囲に設定しておくことで、コンテンツ生成装置の状態を適切に検出し、行事毎に分類する可能性を高めることができる。
【０２７３】
（ｉ）また、前記コンテンツ分類システムは、前記検出手段及び前記分類手段を備え、前記所定位置に設置されたコンテンツ分類装置を含み、前記コンテンツ生成装置及び前記コンテンツ分類装置はそれぞれ他方の装置と有線接続するための接続手段を備え、前記検出手段は、自装置の前記接続手段による有線接続を検出した場合に、前記第１状態であると検出し、自装置の前記接続手段による有線接続を所定時間以内に検出しない場合に、前記第２状態であると検出することとしてもよい。
【０２７４】
このコンテンツ分類システムによれば、数メートル程度の短距離のケーブルを用いて有線接続を行うことで、コンテンツ生成装置が第１状態と第２状態とのいずれの状態にあるかを適切に検出し、行事毎に、行事毎に分類する可能性を高めることができる。
【０２７５】
（ｊ）また、前記コンテンツ生成装置は、被写体を撮像し画像データを生成するデジタルカメラであり、前記コンテンツ分類装置は、前記デジタルカメラを所持するユーザの自宅に設置されたコンピュータであることとしてもよい。
【０２７６】
このコンテンツ分類システムによれば、このユーザがコンテンツ生成装置（デジタルカメラ）を持って外出し、外出先で数日間に跨って行われた行事Ａにおいて撮影された各画像データを同一のグループに分類できると共に、このユーザがコンテンツ生成装置を持って帰宅し、自宅で行われた行事Ｂにおいて撮影された各画像データを、行事Ａのグループとは異なるグループに分類できる。
【０２７７】
（ｋ）また、前記コンテンツ分類システムは、前記検出手段及び前記分類手段を備え、前記所定位置に設置されたコンテンツ分類装置を含み、前記コンテンツ生成装置は、複数存在し、前記検出手段は前記検出を、前記分類手段は各組についての前記分類処理を、コンテンツ生成装置毎に行うこととしてもよい。
【０２７８】
このコンテンツ分類システムによれば、所定位置を複数のコンテンツ生成装置の各ユーザが共通して立ち寄る可能性が高い場所に設定しておくことで、各コンテンツ生成装置について、そのコンテンツ生成装置が生成した各コンテンツを行事毎に分類する可能性を高めることができる。
【０２７９】
ここで、例えば、ある一家の家族（父、母、息子、娘）が各コンテンツ生成装置のユーザである場合には、その家族の自宅を所定位置に設定しておくことが考えられる。また、ある学校の生徒が各コンテンツ生成装置のユーザである場合にはその学校の教室を、また、ある会社の社員が各コンテンツ生成装置のユーザである場合にはその会社の執務室を、所定位置に設定しておくことが考えられる。
【０２８０】
（ｌ）また、本発明の一実施形態に係るコンテンツ生成分類装置は、コンテンツを記憶するためのコンテンツ記憶手段と、逐次コンテンツを生成し前記コンテンツ記憶手段に格納する生成手段と、自装置が、所定位置に存在する第１状態と、前記所定位置に存在しない第２状態とのいずれの状態であるかの検出を繰り返し行う検出手段と、前記コンテンツ記憶手段に記憶されている２つのコンテンツの各生成時の間に、前記検出手段が検出した状態に変化が生じている場合には、当該２つのコンテンツを異なるグループに分類し、前記検出手段が検出した状態に変化が生じていない場合には、当該２つのコンテンツを同一のグループに分類する分類処理を行う分類手段とを備える。
【０２８１】
このコンテンツ生成分類装置によれば、所定位置以外の場所で行われた行事Ａで生成された２つのコンテンツは同じグループに分類でき、この行事Ａで生成されたコンテンツと所定位置で行われた行事Ｂで生成されたコンテンツとの２つのコンテンツは異なるグループに分類できる。
【０２８２】
つまり、このコンテンツ生成分類装置によれば、２つの行事の間に自装置を持ったユーザが立ち寄る可能性が高い場所を所定位置に設定しておくことで、行事毎に分類する可能性を高めることができる。
【０２８３】
（ｍ）また、前記コンテンツ生成分類装置は、更に前記所定位置の緯度及び経度を示す位置情報を記憶する位置記憶手段と、ＧＰＳを用いて、自装置の位置を示す緯度及び経度を算出する位置算出手段とを備え、前記検出手段は、前記位置記憶手段が記憶する位置情報が示す緯度及び経度と、前記位置算出手段が算出した緯度及び経度との差が、所定値以下である場合に、前記第１状態であると検出し、当該所定値より大きい場合に、前記第２状態であると検出することとしてもよい。
【０２８４】
このコンテンツ生成分類装置によれば、既存のＧＰＳの仕組みを用いて自装置が第１状態と第２状態とのいずれの状態にあるかを適切に検出できるので、比較的容易に実装することができる。
【０２８５】
（ｎ）また、本発明の一実施形態に係るコンテンツ分類装置は、外部装置により逐次生成されたコンテンツを記憶するコンテンツ記憶手段と、前記外部装置が、所定位置に存在する第１状態と、前記所定位置に存在しない第２状態とのいずれの状態であるかの検出を繰り返し行う検出手段と、前記外部装置により生成された２つのコンテンツの各生成時の間に前記検出手段が検出した状態に変化が生じている場合には、当該２つのコンテンツを異なるグループに分類し、前記検出手段が検出した状態に変化が生じていない場合には、当該２つのコンテンツを同一のグループに分類する分類処理を行う分類手段とを備える。
【０２８６】
このコンテンツ分類装置によれば、所定位置以外の場所で行われた行事Ａで生成された２つのコンテンツは同じグループに分類でき、この行事Ａで生成されたコンテンツと所定位置で行われた行事Ｂで生成されたコンテンツとの２つのコンテンツは異なるグループに分類できる。
【０２８７】
つまり、このコンテンツ分類装置によれば、２つの行事の間に外部装置を持ったユーザが立ち寄る可能性が高い場所を所定位置に設定しておくことで、行事毎に分類する可能性を高めることができる。
【０２８８】
（１６）本発明に係る分類方法は、例えば実施の形態に示したコンテンツ生成分類装置１１０、コンテンツ分類装置３００、５１０、５５２により実現される（特に、図４、図１２を用いて示した分類処理の手順等参照）。
【産業上の利用可能性】
【０２８９】
本発明に係るコンテンツ分類システム、コンテンツ生成分類装置、コンテンツ分類装置は、複数のコンテンツを自動的に分類するために利用される。
【符号の説明】
【０２９０】
１    ＵＳＢケーブル
１００、２００、４００、４５０    デジタルカメラ
１０１    レリーズボタン
１０２、３０３    表示部
１０３    計時部
１１０    コンテンツ生成分類装置
１１１    記憶部
１１２    位置記憶部
１１３    生成部
１１４    撮像部
１１５    撮像制御部
１１６    位置算出部
１１７、３０４、５１２、５５３    検出部
１１８、３０６    分類部
１１９、３０７    時間情報更新部
１２０、３０８    分類処理部
２１０、４１０、４５１    コンテンツ生成装置
２１１    コンテンツ記憶部
２１２、３０１    無線通信部
２１３、４１２    送信処理部
３００、５１０、５５２    コンテンツ分類装置
３０２    データ記憶部
３０５、５１３    取得部
４０１、５０１、５５１    ＵＳＢインタフェース部
４１１    ＩＣタグ
５００、５５０    ＰＣ
５１１    ＩＣタグリーダ
１０００、１１００、１２００    コンテンツ分類システム
【図１】
0005512810.tif 000002
【図２】
0005512810.tif 000003
【図３】
0005512810.tif 000004
【図４】
0005512810.tif 000005
【図５】
0005512810.tif 000006
【図６】
0005512810.tif 000007
【図７】
0005512810.tif 000008
【図８】
0005512810.tif 000009
【図９】
0005512810.tif 000010
【図１０】
0005512810.tif 000011
【図１１】
0005512810.tif 000012
【図１２】
0005512810.tif 000013
【図１３】
0005512810.tif 000014
【図１４】
0005512810.tif 000015